(57)【要約】【課題】組み立てが容易でしかも組み立て後であっても、その全体サイズを変更可能で、かつデザイン性に優れる複合ユニット家具を提供する。  【解決手段】底板１６、天井板１７及びこれの端部を連接する左右の側板１８、１９を有し、左右の側板１８、１９には上下に貫通する連通孔２０、２１をそれぞれ備えた複数の角筒体１１と、連通孔２０、２１に挿通可能な長尺の第１の連結部材１２とを有し、左右の側板１８、１９のうち一方の側板１８の連通孔２０と他方の側板１９の連通孔２１の位置を合わせて上下に互い違いに配置した角筒体１１を、連通孔２０、２１を挿通する第１の連結部材１２で連結した。【選択図】図１
0003136238.tif 000002
【実用新案登録請求の範囲】
【請求項１】
底板、天井板及びこれの端部を連接する左右の側板を有し、該左右の側板には上下に貫通する連通孔をそれぞれ備えた複数の角筒体と、
前記連通孔に挿通可能な長尺の第１の連結部材とを有し、
前記左右の側板のうち一方の側板の連通孔と他方の側板の連通孔の位置を合わせて上下に互い違いに配置した前記角筒体を、前記連通孔を挿通する前記第１の連結部材で連結したことを特徴とする複合ユニット家具。
【請求項２】
請求項１記載の複合ユニット家具において、左又は右の端部にあって、上下に位置する前記角筒体のそれぞれ左及び右の側板は、前記連通孔にその上部及び下部にそれぞれ形成された突出部が嵌入する第２の連結部材で連結されていることを特徴とする複合ユニット家具。
【請求項３】
請求項１記載の複合ユニット家具において、左又は右の端部にあって、上下に位置する前記角筒体のそれぞれ左及び右の側板は、前記連通孔に挿通する第３の連結部材で連結されて、しかも該第３の連結部材には、前記第１の連結部材に一端部が片持ち状態で取付けられた前記角筒体の他端部を支持するストッパーが設けられていることを特徴とする複合ユニット家具。
【請求項４】
請求項１〜３のいずれか１項に記載の複合ユニット家具において、最下部の前記角筒体の下には前記第１の連結部材で連結された底基板が設けられていることを特徴とする複合ユニット家具。
【請求項５】
請求項１〜４のいずれか１項に記載の複合ユニット家具において、最上部の前記角筒体の上には前記第１の連結部材で連結された天井基板が設けられていることを特徴とする複合ユニット家具。
【請求項６】
請求項１〜５のいずれか１項に記載の複合ユニット家具において、前記第１の連結部材は板状体であることを特徴とする複合ユニット家具。
【請求項７】
請求項１〜５のいずれか１項に記載の複合ユニット家具において、前記第１の連結部材は棒状体であることを特徴とする複合ユニット家具。
【考案の詳細な説明】
【技術分野】
【０００１】
本考案は、例えば、本棚や物置き等のラック、引き出し付の収納具、その他の物置等に利用可能な複合ユニット家具に関する。
【背景技術】
【０００２】
例えば、ユニット家具は用途に応じて種々の寸法のものがあり、通常は所定の板材を組み合わせて所定の大きさのものを造るようになっている。更には、ラック等の場合には適当に仕切りがあった方が収納が容易となる。そこで、特許文献１に記載されているような組み立て棚や、特許文献２で提案されているような押し入れユニットが提案されている。
【０００３】
【特許文献１】特開２００７−４０９号公報
【特許文献２】特開２０００−２４０２７４号公報
【考案の開示】
【考案が解決しようとする課題】
【０００４】
しかしながら、特許文献１記載の組み立て棚においては、十字板ユニットをその板端部で連接して全体を組み立てるので、板（特に水平部分）の強度が下がるという問題があった。また、組み立て棚の上下端や左右端は板端が開放となり、仮に天井板、側板及び底板を配置するにしても、周囲に形成される棚は幅や高さが１／２となるので、デザイン性が悪いという問題があった。
そして、特許文献２記載の押し入れユニットは、棚の形状は部材によって決定され、組み立て後の寸法変更の自由度が殆どないという問題があった。
【０００５】
本考案はかかる事情に鑑みてなされたもので、組み立てが容易でしかも組み立て後であっても、その全体サイズを変更可能で、かつデザイン性に優れる複合ユニット家具を提供することを目的とする。
【課題を解決するための手段】
【０００６】
前記目的に沿う第１の考案に係る複合ユニット家具は、底板、天井板及びこれの端部を連接する左右の側板を有し、該左右の側板には上下に貫通する連通孔をそれぞれ備えた複数の角筒体と、前記連通孔に挿通可能な長尺の第１の連結部材とを有し、
前記左右の側板のうち一方の側板の連通孔と他方の側板の連通孔の位置を合わせて上下に互い違いに配置した前記角筒体を、前記連通孔を挿通する前記第１の連結部材で連結している。
ここで、底板、天井板及び左右の側板、並びに連結部材の材質は、木材又は硬質のプラスチック材であることが好ましいが、陶器、磁器を含むセラミックス、金属等であってもよい。
【０００７】
また、第２の考案に係る複合ユニット家具は、第１の考案に係る複合ユニット家具において、左又は右の端部にあって、上下に位置する前記角筒体のそれぞれ左及び右の側板は、前記連通孔にその上部及び下部にそれぞれ形成された突出部が嵌入する第２の連結部材で連結されている。この第２の連結部材は、その主要部が側板と同一の幅を有する板材であることが好ましいが、必ずしも板材に限定されず、例えば、断面円形の棒材であってもよい。
【０００８】
第３の考案に係る複合ユニット家具は、第１の考案に係る複合ユニット家具において、左又は右の端部にあって、上下に位置する前記角筒体のそれぞれ左及び右の側板は、前記連通孔に挿通する第３の連結部材で連結されて、しかも該第３の連結部材には、前記第１の連結部材に一端部が片持ち状態で取付けられた前記角筒体の他端部を支持するストッパーが設けられている。
【０００９】
第４の考案に係る複合ユニット家具は、第１〜第３の考案に係る複合ユニット家具において、最下部の前記角筒体の下には前記第１の連結部材で連結された底基板が設けられている。ここで、「第１の連結部材で連結された底基板」には、底基板に第１の連結部材の下端部が嵌入する貫通孔又は有底の上向き穴が形成されている場合も含む。
第５の考案に係る複合ユニット家具は、第１〜第４の考案に係る複合ユニット家具において、最上部の前記角筒体の上には前記第１の連結部材で連結された天井基板が設けられている。ここで、「第１の連結部材で連結された天井基板」には、天井基板に第１の連結部材が嵌入する貫通孔又は有底の下向き穴が形成されている場合も含む。
【００１０】
第６の考案に係る複合ユニット家具は、第１〜第５の考案に係る複合ユニット家具において、前記第１の連結部材は板状体である。
また、第７の考案に係る複合ユニット家具は、第１〜第５の複合ユニット家具において、前記第１の連結部材は棒状体である。
【００１１】
以上の第１〜第７の考案においては、一つの板に対して連通孔は一つの場合の他、複数の場合があり、特に、第１の連結部材が棒状の場合は実装、経済及び強度的効果がある。また、以上の複合ユニット家具において、天井部、底部、左又は右側部に長尺の補強板や基板を配置することもでき、これによって、複合ユニット家具を更に補強することもできる。
また、当然のことながら、この複合ユニット家具を上下方向を水平方向に変えて使用する場合も本考案は適用される。
【考案の効果】
【００１２】
請求項１〜請求項７記載の複合ユニット家具は、一方の側板の連通孔と他方の側板の連通孔の位置を合わせて上下に互い違いに配置した各角筒体を、連通孔を挿通する第１の連結部材で連結しているので、角筒体を上下及び左右方向に延長して繋ぐことができる。これによって、複合ユニット家具の大きさを変えることができる。
そして、角筒体の大きさは変わらないので、全体として同一寸法又は同一形状の空間の棚を形成できる。
【００１３】
請求項２記載の複合ユニット家具は、左又は右の端部にあって、上下に位置する角筒体のそれぞれ左及び右の側板は、連通孔にその上部及び下部にそれぞれ形成された突出部が嵌入する第２の連結部材で連結されているので、そのままでは側方に形成されるコ字状の空間部も箱として利用でき、しかも、片持ち状態の上部位置にある角筒体の保持が可能となり、複合ユニット家具全体の補強をすることができる。
【００１４】
請求項３記載の複合ユニット家具は、左又は右の端部にあって、上下に位置する角筒体のそれぞれ左及び右の側板は、連通孔に挿通する第３の連結部材で連結されて、しかも第３の連結部材には、第１の連結部材に一端部が片持ち状態で取付けられた角筒体の他端部を支持するストッパーが設けられているので、そのままでは側方に形成されるコ字状の空間部も箱として利用でき、しかも、片持ち状態の上部位置にある角筒体の保持がストッパーで可能となり、複合ユニット家具全体の補強をすることができる。
【００１５】
請求項４記載の複合ユニット家具は、最下部の角筒体の下には第１の連結部材で連結された底基板が設けられているので、複合ユニット家具の強度を向上させることができる。
請求項５記載の複合ユニット家具は、最上部の角筒体の上には第１の連結部材で連結された天井基板が設けられているので、複合ユニット家具の天井部を補強できると共に、隣り合う角筒体で形成された空間の上部を閉塞して六面体空間を形成できる。
【００１６】
請求項６記載の複合ユニット家具は、第１の連結部材は板状体であるので、十分な強度を有して連接される角筒体を連結することができる。
そして、請求項７記載の複合ユニット家具は、第１の連結部材は棒状体であるので、製作が容易であり、一つの板材に対して複数本用いることによって、十分な強度を発揮できる。
【考案を実施するための最良の形態】
【００１７】
続いて、添付した図面を参照しつつ、本考案を具体化した実施の形態につき説明し、本考案の理解に供する。
ここで、図１（Ａ）、（Ｂ）は本考案の第１の実施の形態に係る複合ユニット家具の平面図及び正面図、図２は同複合ユニット家具の構造を示す斜視図、図３（Ａ）は角筒体の平面図、（Ｂ）は同正面図、図４は本考案の第１の実施の形態の変形例に係る角筒体の正面図、図５（Ａ）は支持板の正面図、（Ｂ）は同側面図、図６は本考案の第２の実施の形態に係る複合ユニット家具の説明図、図７は本考案の第３の実施の形態に係る複合ユニット家具の説明図である。
【００１８】
図１（Ａ）、（Ｂ）、図２に示すように、本考案の一実施の形態に係る複合ユニット家具１０は、複数の角筒体１１と、これらを連結する第１の連結部材の一例であって長尺の板状体となった連結板１２と、下部及び上部に配置された底基板１３と天井基板１４と、これらの背面を覆う裏板１５とを有している。以下、これらについて詳しく説明する。
【００１９】
図３（Ａ）、（Ｂ）に示すように、それぞれの角筒体１１は、底板１６、天井板１７及びこれの端部を連接する左側板１８及び右側板１９を有している。左側板１８及び右側板１９には上下に貫通する連通孔２０、２１が設けられている。連通孔２０、２１の幅ａは左側板１８及び右側板１９の板厚の１／３〜４／５程度である。また、連通孔２０、２１の長さｂは左側板１８及び右側板１９の幅の１／２〜４／５程度が好ましい。連通孔２０、２１の位置は、左側板１８及び右側板１９の中央にあるのが好ましいが、右側又は左側、更には前側又は後ろ側に寄っていてもよい。底板１６、天井板１７、左側板１８及び右側板１９は、例えば縦横が１０〜８０ｃｍ、厚みが、通常１０〜４０ｍｍ程度であるが、本考案はこの数字に限定されるものではなく、更に大きい場合、あるいは小さい場合もあり得る。
【００２０】
この実施の形態では、左側板１８及び右側板１９は、それぞれ底板１６及び天井板１７の水平側端部に連結されているが、図４に示すように、左側板２２及び右側板２３の上端、下端に天井板２５、底板２４が被さって繋がっている角筒体２６、それぞれの底板、天井板、左側板及び右側板の端面が斜めに切断されて接合されている角筒体、底板、天井板、左側板及び右側板の端面に歯を形成して噛合状態で接合されている角筒体、全体が一体で構成されている角筒体であっても本考案は適用される。要は周囲の枠が四角筒状を形成している角筒体であれば、各板の連結態様を問わず本考案は適用される。この場合、側板の上下に配置される天井板及び底板も含めて、即ち、領域Ｋ、Ｌが、本考案において、左側板及び右側板として機能する。
【００２１】
連結板１２は上下に互い違いに配置された角筒体１１の左側板１８及び右側板１９を繋ぐもので、それぞれ同一大きさの連通孔２０、２１を貫通して配置される。従って、連結板１２の断面大きさは、連通孔２０、２１の断面より僅少の範囲（例えば０．１〜１ｍｍ）で小さくなっている。連結板１２の長さは、積み上げる角筒体１１の高さ分は必要であり、上下に天井基板１４及び底基板１３を有する場合は、その厚み分もカバーできる長さとするのがよい。連結板１２、底基板１３及び天井基板１４の材質は、角筒体１１の材質と同一のものが好ましい。
【００２２】
底基板１３及び天井基板１４は、最下部の角筒体１１の下及び最上部の角筒体１１の上にそれぞれ連結され、底基板１３及び天井基板１４は横方向に並べる角筒体１１の全長に対応する長さを有する。そして、底基板１３及び天井基板１４には、連結板１２が嵌入可能な貫通孔２７、２８が設けられ、この連結板１２を介して全体を一体的に連結している。底基板１３及び天井基板１４は、隙間を有して隣り合う角筒体１１を連結し、この複合ユニット家具１０の強度を高めるものであるが、この複合ユニット家具１０において必須の構成要件ではなく、いずれか一方又は双方を省略することもできる。
【００２３】
複合ユニット家具１０の右側又は左側の端部に位置する角筒体１１は、それぞれその内側にある左側板１８及び右側板１９を支持する連結板１２による片持ち構造となるので、図１に示すように、左側の端部に位置する角筒体１１の上下の隙間に第２の連結部材の一例である支持板３０を、右側の端部に位置する角筒体１１の上下の隙間に第２の連結部材の一例である支持板３１を配置するのが好ましい。この支持板３０、３１は、図５（Ａ）、（Ｂ）に示すように、上下に連通孔２０、２１に挿通可能な突出部３２、３３を備えて、上部の角筒体１１の端部を支持すると共に、側板の役目もしている。なお、この支持板３０、３１も省略することは可能である。
【００２４】
複合ユニット家具１０は、裏側に各角筒体１１及び角筒体１１同士又は角筒体１１と支持板３０、３１で形成される六面体空間３４の裏側を閉塞する裏板１５を備えている。この裏板１５は厚みが、例えば１〜５ｍｍ程度の板からなっている。この裏板１５は省略することもでき、場合によっては、角筒体１１又は六面体空間３４の裏側のみに設けることも可能である。
【００２５】
この複合ユニット家具１０を組み立てる場合は、必要数の角筒体１１と連結板１２を用意し、床面上に角筒体１１を、図１に示すように並べる。この場合、支持板３０、３１は最初に取付けて並べるのがよい。この状態で、連結板１２を連通孔２０、２１に通す。そして、底基板１３、天井基板１４及び裏板１５を取付けて、立てれば複合ユニット家具１０が完成することになる。
【００２６】
図６に本考案の第２の実施の形態に係る複合ユニット家具３６の一部を示すが、各角筒体３７の左右の側板３８、３９には、連通孔の一例である上下に貫通する複数の断面円形の丸孔（角孔であってもよい）４０、４１が設けられている。そして、各丸孔４０、４１には第１の連結部材の一例である棒状体４２が挿通して、上下左右に一つの隙間を有して互い違いに連結された角筒体３７を連結している。その他の点は、図１に示す複合ユニット家具１０と基本的に同一であるので、その説明を省略する。
【００２７】
前記実施の形態においては、最側部に位置し一端部が第１の連結部材に片持状態で取付けられた上下の角筒体の他端部の側板（右側板又は左側板をいう）は、第２の連結部材で連結していたが、連通孔２０、２１又は４０、４１を挿通する第３の連結部材（連結板、棒状体）を使って連結してもよい。
この場合、第３の連結部材は上部の角筒体を支持する機能はないので、図７に示すように、第３の連結部材４５によって形成される空間部４４の上部に位置する角筒体４６の落下防止用のストッパー４７を設けておく。そして、第３の連結部材４５の落下を防止するために、空間部４４の下部に位置する第３の連結部材４５にもストッパー４８を設けるのがよい。
【００２８】
前記実施の形態においては、機能体の一例である角筒体をそれらの側面部（即ち、左側板、右側板の位置を合わせながら、互い違いに並べ、上下重なった側面部に上下に貫通する連通孔を形成し、この連通孔に連結部材を通して、それぞれの機能体を連結する方法又は手段を考え、この考案を完成したものである。そして、この実施の形態では機能体として角筒体を選択し、複合ユニット家具を形成しているが、この考案は機能体の両側に平行な側面部を有するものであれば、他の形態のものであっても適用可能である。
【００２９】
前記実施の形態においては、具体的に寸法を特定して複合ユニット家具を説明したが、本考案の要旨を変更しない範囲で、寸法変更、形状変更は可能である。
【図面の簡単な説明】
【００３０】
【図１】（Ａ）、（Ｂ）は本考案の第１の実施の形態に係る複合ユニット家具の平面図及び正面図である。
【図２】同複合ユニット家具の構造を示す斜視図である。
【図３】（Ａ）は角筒体の平面図、（Ｂ）は同正面図である。
【図４】本考案の第１の実施の形態の変形例に係る角筒体の正面図である。
【図５】（Ａ）は支持板の正面図、（Ｂ）は同側面図である。
【図６】本考案の第２の実施の形態に係る複合ユニット家具の説明図である。
【図７】本考案の第３の実施の形態に係る複合ユニット家具の説明図である。
【符号の説明】
【００３１】
１０：複合ユニット家具、１１：角筒体、１２：連結板、１３：底基板、１４：天井基板、１５：裏板、１６：底板、１７：天井板、１８：左側板、１９：右側板、２０、２１：連通孔、２２：左側板、２３：右側板、２４：底板、２５：天井板、２６：角筒体、２７、２８：貫通孔、３０、３１：支持板、３２、３３：突出部、３４：六面体空間、３６：複合ユニット家具、３７：角筒体、３８：左側板、３９：右側板、４０、４１：丸孔、４２：棒状体、４４：空間部、４５：第３の連結部材、４６：角筒体、４７、４８：ストッパー
【図１】
0003136238.tif 000003
【図２】
0003136238.tif 000004
【図３】
0003136238.tif 000005
【図４】
0003136238.tif 000006
【図５】
0003136238.tif 000007
【図６】
0003136238.tif 000008
【図７】
0003136238.tif 000009